(57)【要約】【課題】テレビ視聴中に着信又はメール受信がなされた場合でも、テレビ視聴を中断することなく通話を行うか否か又はメールを読むか否かの判断ができるようにすること。【解決手段】本発明は、制御部１が、着信検知機能１ａによりＬＣＤ５によるＴＶ視聴中に着信又はメール受信を検知すると、着信表示制御機能１ｂにより当該ＬＣＤ５でのＴＶ視聴画面を重ならないように着信表示を行うと共に、着信音抑制機能１ｃによりスピーカ１０による着信音（メール受信音）の鳴動を抑制させるように制御することを特徴とする携帯電話機である。【選択図】      図１
2008092229.tif 000002
【特許請求の範囲】
【請求項１】
テレビ放送信号を受信する受信手段と、
前記テレビ放送信号に基づいて、テレビ映像を表示する表示手段と、
前記テレビ放送信号に基づいたテレビ音声、或いは着信音を出力する音声出力手段と、
上記表示手段によるテレビ映像の表示中に、音声着信信号を検知すると、上記表示手段のテレビ映像の表示画面と重ならないように着信表示を行うと共に、上記音声出力手段による着信音の鳴動を抑制させるように制御する制御手段と、
を具備することを特徴とする携帯電話機。
【請求項２】
着信表示を行い着信音の鳴動を抑制させる相手の電話番号を予め登録した第１のテーブルを保持した記憶手段を更に有しており、
上記制御手段は、上記音声着信信号を検知した場合には、当該第１のテーブルを参照し、当該第１のテーブルに登録されている場合には、着信表示を行い、着信音の鳴動を抑制させるように制御する、
ことを更に特徴とする請求項１に記載の携帯電話機。
【請求項３】
着信表示及び着信音の鳴動制御を行うべき相手の電話番号を予め登録した第２のテーブルを保持した記憶手段を更に有しており、
上記制御手段は、上記音声着信信号を検知した場合には、当該第２のテーブルを参照し、当該第２のテーブルに登録されている場合には、着信表示及び着信音の鳴動制御を行うように制御する、
ことを更に特徴とする請求項１に記載の携帯電話機。
【請求項４】
着信表示及び着信音の鳴動制御を行うべき相手の電話番号を予め登録した第２のテーブルを保持した記憶手段を更に有しており、
上記制御手段は、上記音声着信信号を検知した場合には、当該第２のテーブルを参照し、当該第２のテーブルに登録されていない場合には、着信表示を行い、着信音の鳴動を抑制させるように制御する、
ことを更に特徴とする請求項１に記載の携帯電話機。  
【請求項５】
上記制御手段は、上記表示手段によるテレビ映像の出力がなされていない場合かつ、前記音声出力手段によるテレビ音声の出力がなされている場合には、着信表示と着信音の鳴動制御を行うように制御する、ことを更に特徴とする請求項１に記載の携帯電話機。
【請求項６】
前記携帯電話機は、少なくとも前記表示手段の表示が携帯電話機のユーザに視認できない折り畳み状態に遷移可能であり、上記制御手段は、前記折り畳み状態である場合に、着信表示と着信音の鳴動制御を行うように制御する、ことを更に特徴とする請求項１に記載の携帯電話機。
【請求項７】
上記制御手段は、上記音声着信信号を検知した場合に、通話を行う場合には、通話音声にテレビ音声を重畳させるよう制御することを更に特徴とする請求項１に記載の携帯電話機。
【請求項８】
テレビ放送信号を受信する受信手段と、
前記テレビ放送信号に基づいて、テレビ映像を表示する表示手段と、
前記テレビ放送信号に基づいたテレビ音声、或いはメール受信音を出力する音声出力手段と、
上記表示手段によるテレビ映像の表示中に、メール受信信号を検知すると、上記表示手段のテレビ映像の表示画面と重ならないようにメール受信表示を行うと共に、上記音声出力手段によるメール受信音の鳴動を抑制させるように制御する制御手段と、
を具備することを特徴とする携帯電話機。
【請求項９】
メール受信表示を行いメール受信音の鳴動を抑制させる相手のメールアドレスを予め登録した第３のテーブルを保持した記憶手段を更に有しており、
上記制御手段は、上記メール受信信信号を検知した場合には、当該第３のテーブルを参照し、当該第３のテーブルに登録されている場合には、メール受信表示を行い、メール受信音の鳴動を抑制させるように制御する、
ことを更に特徴とする請求項８に記載の携帯電話機。
【請求項１０】
メール受信表示及びメール受信音の鳴動制御を行うべき相手のメールアドレスを予め登録した第４のテーブルを保持した記憶手段を更に有しており、
上記制御手段は、上記メール受信信号を検知した場合には、当該第４のテーブルを参照し、当該第４のテーブルに登録されている場合には、メール受信表示及びメール受信音の鳴動制御を行うように制御する、
ことを更に特徴とする請求項８に記載の携帯電話機。
【請求項１１】
メール受信表示及びメール受信音の鳴動制御を行うべき相手の電話番号を予め登録した第４のテーブルを保持した記憶手段を更に有しており、
上記制御手段は、上記メール受信信号を検知した場合には、当該第４のテーブルを参照し、当該第４のテーブルに登録されていない場合には、メール受信表示を行い、メール受信音の鳴動を抑制させるように制御する、
ことを更に特徴とする請求項８に記載の携帯電話機。  
【請求項１２】
上記制御手段は、上記表示手段によるテレビ映像の出力がなされていない場合かつ、前記音声出力手段によるテレビ音声の出力がなされている場合には、メール受信表示とメール受信音の鳴動制御を行うように制御する、ことを更に特徴とする請求項８に記載の携帯電話機。
【請求項１３】
前記携帯電話機は、少なくとも前記表示手段の表示が携帯電話機のユーザに視認できない折り畳み状態に遷移可能であり、上記制御手段は、前記折り畳み状態である場合に、着信表示と着信音の鳴動制御を行うように制御する、ことを更に特徴とする請求項８に記載の携帯電話機。
【発明の詳細な説明】
【技術分野】
【０００１】
本発明は、テレビ視聴機能を備えた携帯電話機に関する。
【背景技術】
【０００２】
今日、地上波デジタル放送の受信機能を搭載した携帯電話機が開発され市場に投入されているが、当該携帯電話機で地上波デジタル放送を受信し視聴しているときに音声着信信号或いはメール受信信号が検知された場合に、いかに処理するかは、ユーザの利便性向上の観点からも重要視されており、種々の工夫がなされている。
【０００３】
例えば、特許文献１では、テレビ視聴中に着信があったときに自動的に通話モードに移行させる携帯電話機に関する技術が開示されている。すなわち、同技術では、本体開スイッチに基づきテレビ放送受信中に、着信があり、かつ携帯電話機が開かれたことを検出すると、テレビ受信部によるテレビ画面表示を中断し、通話モードに移行させている。
【特許文献１】特開２００５−１０９８１９号公報
【発明の開示】
【発明が解決しようとする課題】
【０００４】
しかしながら、着信（又はメールなどのデータの受信）は使用者の予期しないタイミングで発生するため、テレビ視聴中に着信があった場合に前述した特許文献１の技術のような処理を一律に行なうと、使用者の意思に反して情報番組やスポーツ情報等の決定的瞬間を見逃すという事態も招きかねない。
【０００５】
また、テレビ視聴中であるとはいっても、音声のみの出力がなされ、画面表示がなされていない場合もあるが、上記特許文献１に開示の技術では、音声のみ／音声及び画像出力の相違により、着信時の処理を変えることはなされていない。
【０００６】
本発明の目的とするところは、テレビ視聴中に音声着信信号を検知したとき、又はメールなどのデータの受信信号を検知した場合でも、テレビ視聴を中断することなく通話を行うか否かの判断ができるようにすることにある。
【課題を解決するための手段】
【０００７】
本発明の第１の観点によれば、テレビ放送信号を受信する受信手段と、前記テレビ放送信号に基づいて、テレビ映像を表示する表示手段と、前記テレビ放送信号に基づいたテレビ音声、或いは着信音を出力する音声出力手段と、上記表示手段によるテレビ映像の表示中に、音声着信信号を検知すると、上記表示手段のテレビ映像の表示画面と重ならないように着信表示を行うと共に、上記音声出力手段による着信音の鳴動を抑制させるように制御する制御手段と、を具備することを特徴とする携帯電話機が提供される。
【０００８】
本発明の第２の観点によれば、テレビ放送信号を受信する受信手段と、前記テレビ放送信号に基づいて、テレビ映像を表示する表示手段と、前記テレビ放送信号に基づいたテレビ音声、或いはメール受信音を出力する音声出力手段と、上記表示手段によるテレビ映像の表示中に、メール受信信号を検知すると、上記表示手段のテレビ映像の表示画面と重ならないようにメール受信表示を行うと共に、上記音声出力手段によるメール受信音の鳴動を抑制させるように制御する制御手段と、を具備することを特徴とする携帯電話機が提供される。
【発明の効果】
【０００９】
本発明によれば、テレビ視聴中に音声着信信号を検知したとき、又はメールなどのデータの受信を検知した場合でも、テレビ視聴を中断することなく通話を行うか否かの判断ができる携帯電話機を提供することができる。
【発明を実施するための最良の形態】
【００１０】
以下、図面を参照して、本発明の実施の形態について説明する。
【００１１】
図１には本発明の一実施の形態に係る携帯電話機の基本構成を示し説明する。
【００１２】
この図１に示されるように、本実施の形態に係る携帯電話機は、ＭＰＵ等からなる制御手段としての制御部１と、受信手段としてのアンテナ１１及びテレビジョン（以下、ＴＶと略記する）チューナー２と、復号手段としてのデコーダ３と、表示手段としての表示ドライバ４及びＬＣＤ(Liquid Crystal Display)５、記憶部６、アンテナ１２、無線通信部７と、デコーダ８と、音声出力手段としてのオーディオ回路９及びスピーカ１０と、を備えている。制御部１は、この携帯電話機全体の制御を司るものであり、より詳細には、少なくとも着信検知機能１ａ、着信表示制御機能１ｂ、着信音鳴動抑制機能１ｃ、ＴＶ音声重畳機能１ｄ、判定機能１ｅ、そして主制御機能１ｆを備えている。
【００１３】
ここで、各機能について説明すると、着信検知機能１ａとは、音声着信信号を受信したか否かを検知する、または当該携帯電話宛てのメールがある旨の信号（以下、メール受信信号と記す）を受信したか否かを検知する機能である。着信表示機能１ｂとは、音声着信信号の受信を検知した場合に、図３（Ａ）または図３（Ｂ）に示されるように、着信があった旨を表示するものである。また、メール受信信号の受信を検知した場合には、図３（Ｃ）または図３（Ｄ）に示されるように、メールを受信した旨を表示する機能である。着信音鳴動抑制機能１ｃとは、音声着信信号の受信を検知した場合に、当該音声着信信号に含まれる電話番号に対応付けられた着信音を鳴動するものである。即ち、後述するように、音声着信信号に含まれる電話番号が図２（Ａ）に示されるように、記憶部６の設定テーブルに登録された電話番号である場合は着信表示を行い、着信音を鳴動させない。一方、音声着信信号に含まれる電話番号が図２（Ｂ）に示されるように、記憶部６の設定テーブルに登録された電話番号である場合は着信表示を行うと共に着信音を鳴動させる。
【００１４】
また、着信音鳴動抑制機能１ｃは、メール受信信号の受信を検知した場合には、当該メールの送信者のアドレスに対応付けられたメール受信音を鳴動する。即ち、後述するように、メール受信信号に含まれる送信者のメールアドレスが図２（Ｃ）に示されるように、記憶部６の設定テーブルに登録されたメールアドレスである場合はメール受信表示を行い、メール受信音を鳴動させない。一方、後述するように、メール受信信号に含まれる送信者のメールアドレスが図２（Ｄ）に示されるように、記憶部６の設定テーブルに登録されたメールアドレスである場合はメール受信表示を行うと共に、メール受信音を鳴動させる。
【００１５】
判定機能１ｅは、実際にＬＣＤ５に映像を出力しているか否かを判定し、映像をＬＣＤ５に出力していない状態である場合には、音声のみのＴＶ視聴中であると判定する機能である。他の判定方法としては、ＬＣＤ５が外部より見ることができないような筐体状態（例えば２つ折り携帯電話機であれば閉じている状態）であるか否かでも良い。また、別の判定方法としては、ＴＶアプリケーションが起動していた場合においても、他のアプリケーション（メール、ブラウザ、電話帳編集、機能設定画面）の表示を行っているか否かに基づいて状態判定を行っても良いことは勿論である。
【００１６】
以上のような構成において、ＴＶチューナー２は、アンテナ１１を介して地上波デジタル放送を受信し、変調された信号を復調する。この復調により得られた符号化された映像データ、音声データは、デコーダ３に送られる。このデコーダ３は、映像データ、音声データを復号し、映像は表示ドライバ４により駆動制御されるＬＣＤ５にて表示される。そして、音声はオーディオ回路９を介してスピーカ１０より出力される。
【００１７】
以上の処理は、基本的には、制御部１の主制御機能１ｆにより実現される。
【００１８】
一方、無線通信部７は、アンテナ１２を介して、音声着信信号やメール受信信号を受信し、変調された信号を復調する。この復調により得られた符号化された音声データ、電子メールのデータは、デコーダ８に送られる。このデコーダ８は、これら符号化されたデータを復号し、音声或いは電子メールのデータを出力する。この音声は、オーディオ回路９にて所定の処理がなされた後、スピーカ１０より出力される。電子メールのデータは、制御部１の主制御機能１ｆによる制御の下で、表示ドライバ４により駆動制御されるＬＣＤ５にて適宜表示される。但し、このとき制御部１は、以下のように制御を行なう。
【００１９】
即ち、制御部１は、主制御機能１ｆによる制御下でのＴＶ視聴中に、着信検知機能１ａにより音声着信信号またはメール受信信号を検知すると、着信表示制御機能１ｂによりＬＣＤ５のＴＶ視聴画面に重ならないように着信表示を行うと共に（図３（Ａ）乃至（Ｄ）参照）、着信音鳴呼制御機能１ｃによりスピーカ１０からの着信音或いはメール受信音の鳴動を抑制させるように制御する。この着信音の鳴呼抑制については、記憶部６に第１のテーブルとしての設定テーブルで着信表示を行うものの電話番号（図２（Ａ）参照）を予め登録しておき、或いは第２のテーブルとしての設定テーブルで着信表示と着信を鳴動させるものの電話番号（図２（Ｂ）参照）を予め登録しておき、着信検知機能１ａにより着信が検知された場合に、着信音鳴呼制御機能１ｃにより記憶部６のこれら設定テーブルを参照し、当該設定テーブルでの登録情報に基づいて着信音を抑制制御させる。
【００２０】
あるいは、記憶部６に第３のテーブルとしての設定テーブルでメール受信表示を行うもののメールアドレス（図２（Ｃ）参照）を予め登録しておき、或いは第４のテーブルとしての設定テーブルでメール受信表示とメール受信音を鳴動させるもののメールアドレス（図２（Ｄ）参照）を予め登録しておき、着信検知機能１ａによりメール受信信号の受信が検知された場合に、着信音鳴呼制御機能１ｃにより記憶部６のこれら設定テーブルを参照し、当該設定テーブルでの登録情報に基づいてメール受信音を抑制制御させる。
【００２１】
携帯電話機でのＴＶ視聴には、画面を見る場合と音声のみの視聴との場合があるが、制御部１が、判定機能１ｅにより音声のみによる視聴と判断した場合には、着信音を鳴動させる。また、制御部１は、ＴＶ音声重畳機能１ｄにより、通話中に相手音声に対してＴＶ音声を重畳させることで、通話中でもＴＶ音声を聞くことができるようにする。
【００２２】
ここで、図２には、本実施の形態に係る携帯電話機の記憶部６に格納されている設定テーブル１００，１０１，１０２，１０３の一例を示し説明する。
【００２３】
即ち、図２（Ａ）の設定テーブル１００には、図３（Ａ）又は（Ｂ）に示されるような着信表示を行なうべき者のＩＤと電話番号とが対応付けられて記憶されている。一方、図２（Ｂ）の設定テーブル１０１には、図３（Ａ）又は（Ｂ）に示されるような着信表示と着信音の鳴動を行なうべき者のＩＤと電話番号とが対応付けられて記憶されている。このＩＤは、不図示の電話帳などにおいても用いられているものであり、必要に応じて電話帳からＩＤをキーとして必要な情報を引き出すことも可能となっている。制御部１の着信音鳴呼抑制機能１ｃは、この設定テーブル１００，１０１を参照し、音声着信信号の検知があった場合に当該着信相手が着信表示のみを行なうべき相手なのか、着信表示と着信音の鳴動を合わせておこなうべき相手なのかを判断し、着信音の鳴動を抑制する。
【００２４】
図２（Ｃ）の設定テーブル１０２には、図３（Ｃ）又は（Ｄ）に示されるような着信表示を行なうべき者のＩＤとメールアドレスとが対応付けられて記憶されている。一方、図２（Ｄ）の設定テーブル１０３には、図３（Ｃ）又は（Ｄ）に示されるような着信表示とメール受信音の鳴動を行なうべき者のＩＤとメールアドレスとが対応付けられて記憶されている。このＩＤは、不図示の電話帳などにおいても用いられているものであり、必要に応じて電話帳からＩＤをキーとして必要な情報を引き出すことも可能となっている。
【００２５】
制御部１の着信音鳴呼抑制機能１ｃは、この設定テーブル１００，１０１，１０２，１０３を参照し、音声着信信号或いはメール受信信号の受信を検知した場合に当該着信相手が着信表示のみを行なうべき相手なのか、着信表示と着信音（又はメール受信音）の鳴動を合わせておこなうべき相手なのかを判断し、着信音の鳴動を抑制する。
【００２６】
図３（Ａ）乃至（Ｄ）には、実際のＬＣＤ５での表示例を示し説明する。
【００２７】
すなわち、先ず、図３（Ａ）に示される例では、ＴＶ視聴画面２００の上方に着信表示領域２０１が設けられており、制御部１の着信表示制御機能１ｂにより、着信相手の氏名（不図示の電話帳に登録された電話番号に対応付けられた氏名）と電話番号（氏名だけの表示でもよい）とが表示される。図３（Ｂ）に示される例では、着信相手の氏名と電話番号（氏名だけの表示でもよい）に加えて、更に領域２０４に着信相手の写真（不図示の電話帳に登録された電話番号に対応付けられた画像情報）が表示される。図３（Ｃ）に示される例では、ＴＶ視聴画面２０３の上方にメール受信表示領域２０５にメール送信者の氏名（不図示の電話帳に登録されたメールアドレスに対応付けられた氏名）及び件名（受信したメールの件名）が表示される。図３（Ｄ）に示される例では、領域２０６にメール受信の旨と氏名（不図示の電話帳に登録されたメールアドレスに対応付けられた氏名）、件名件名（受信したメールの件名）、本文（受信したメールの本文に含まれる最初の数行分）が表示される。これらは一例にすぎず、これらに限定されないことは勿論である。
【００２８】
以下、図４のフローチャートを参照して、本発明の一実施の形態に係る携帯電話機によるテレビ視聴中における着信処理手順を詳細に説明する。
【００２９】
尚、以下、ＴＶ視聴中に電話の音声着信信号を検知した場合を例に挙げて説明するが、メール受信信号を検知した場合にも同様の処理が可能であることは勿論である。この場合には、着信音をメール受信音、着信表示をメール受信表示を読み替えることになる。
【００３０】
さて、着信があった場合に、この処理に入り、先ず制御部１は判定機能１ｅによりＴＶ視聴中であるか否かを判定する（ステップＳ１）。ここで、制御部１は、ＴＶ視聴中でないと判定した場合には、通常の着信鳴動を行い（ステップＳ８）、処理を終了する。
【００３１】
一方、ＴＶ視聴中であると判定した場合には、制御部１は、判定機能１ｅにより、音声のみのＴＶ視聴中であるか否かを判定する（ステップＳ２）。
【００３２】
ここでは、制御部１は、判定機能１ｅにより、実際にＬＣＤ５に映像を出力しているか否かを判定し、映像をＬＣＤ５に出力していない状態（例えば２つ折り筐体を閉じている場合や、別の機能を同時に起動し使用している場合など）である場合には、音声のみのＴＶ視聴中であると判定する。但し、判定手法はこれには限定されない。
【００３３】
上記ステップＳ２にて、音声のみのＴＶ視聴中であると判定した場合、制御部１は、着信表示制御機能１ｂによる着信表示と着信音鳴動抑制機能１ｃによる着信音の鳴動とを行い（ステップＳ７）、処理を終了する。一方、音声のみのＴＶ視聴中ではないと判定した場合には、所定の電話番号を非鳴動、つまり着信表示のみに設定するための登録が設定テーブル１００になされているかを判定する（ステップＳ３）。
【００３４】
このステップＳ３において、そのような設定テーブル１００が採用されている場合、制御部１は、主制御機能莞１ｆにより、着信の電話番号が設定テーブル１００に登録されているかを判定し（ステップＳ４）、登録されている場合には、制御部１は、着信表示制御機能１ｂにより着信表示のみを行い（ステップＳ５）、処理を終了する。一方、登録されていない場合には、制御部１は、着信表示制御機能１ｂによる着信表示と着信音鳴動抑制機能１ｃによる着信音の鳴動とを行い（ステップＳ７）、処理を終了する。
【００３５】
ステップＳ３にて、設定テーブル１００が採用されていない場合、着信表示と着信音を鳴動させるための登録に係る設定テーブル１０１が採用されているものとし、制御部１は主制御機能１ｆにより、着信の電話番号が設定テーブル１０１に登録されているかを判定し（ステップＳ６）、登録されていない場合には、制御部１は、着信表示制御機能１ｂにより着信表示のみを行い（ステップＳ５）、処理を終了する。その一方、登録されている場合には、制御部１は、着信表示制御機能１ｂによる着信表示と着信音鳴動抑制機能１ｃによる着信音の鳴動とを行い（ステップＳ７）、処理を終了する。
【００３６】
以上の一連の処理によれば、使用者がＴＶ画面視聴中と判断した場合は、ＬＣＤ画面上に着信情報（相手電話番号や電話帳登録済みの場合は相手の名前、メール受信の場合は送信者のメールアドレスや電話帳登録済みの場合は相手の名前等）を、ＴＶ視聴画面と同時（ＴＶコンテンツと重ならない箇所）に表示させるだけで着信音を鳴動させないように抑止させることを可能とする。また、全ての着信動作に対して着信音（メール受信音）を抑止するのではなく指定番号のみの着信音を抑止させたり、逆に指定番号以外の着信音（メール受信音）を抑止させる等の設定も可能とする。指定番号への指定は、直接電話番号を登録したり電話帳に登録している電話番号を指定したりすることも可能である。
【００３７】
さらに、通話状態へ移行した場合に、イヤホンマイク等を使用している場合は携帯電話機の画像を直視しながら電話が可能であるため、相手側音声にＴＶ視聴音声を重畳させることによりＴＶ画面を見ながらの通話動作を可能とする。
【００３８】
以上説明したように、本発明の実施の形態に係る携帯電話機では、ＴＶ視聴中に着信（又はメールの受信）があっても、情報番組やスポーツ情報等の決定的瞬間を見逃すことがなくなる。
【００３９】
また、通話中にも相手音声に対して番組音声を重畳することを可能としているので、これによっても、ＴＶ視聴を中断することなく通話を行うことが可能となる。
【００４０】
以上、本発明の一実施の形態について説明したが、本発明はこれに限定されることなく、その趣旨を逸脱しない範囲で種々の改良、変更が可能であることは勿論である。
【図面の簡単な説明】
【００４１】
【図１】本発明の一実施の形態に係る携帯電話機の基本構成を示す図である。
【図２】（Ａ）乃至（Ｄ）は本発明の一実施の形態に係る携帯電話機のＤＢ６に格納されている設定テーブル１００乃至１０３一例をそれぞれ示す図である。
【図３】（Ａ）乃至（Ｄ）は、実際のＬＣＤ５での表示例を示す図である。
【図４】本発明の一実施の形態に係る携帯電話機によるテレビ視聴中における着信（又はメール受信の）処理手順を詳細に説明するフローチャートである。
【符号の説明】
【００４２】
１…ＭＰＵ、２…ＴＶチューナー、３…デコーダ、４…表示ドライバ、５…ＬＣＤ、６…ＤＢ、７…無線機、８…デコーダ、９…オーディオ回路、１０…スピーカ、１１…アンテナ、１２…アンテナ。
【図１】
2008092229.tif 000003
【図２】
2008092229.tif 000004
【図３】
2008092229.tif 000005
【図４】
2008092229.tif 000006